(57)【要約】【課題】蓋体が本体に対して係り合うロック状態を安定して維持しつつ、且つ容易にロックを解除することができるロック機構付収容具を提供する。【解決手段】本発明に係るロック機構付収容具たるファイルＡは、開口部Ｈを有する本体１と、この本体１に設けられたスリット３と、可撓性を有したシート状をなす素材からなるものであり本体１に取り付けられた基端部２１、スリット３に重なり合い得る位置に設けられた蓋体２と、この蓋体２の先端部２３に設けられ基端部２１へ向けて延出しスリット３に挿入され得るものでありスリット３とともに蓋体２の開蓋を禁止するロック機構Ｒを構成する挿入片４と、蓋体２における挿入片４近傍に設けられスリット３に挿入された挿入片４をスリット３から離間させるときに周囲の部分よりも優先して折り曲げられるように形成された折り曲げ誘導部５とを具備することを特徴としている。【選択図】図６
2017226424.tif 000002
【特許請求の範囲】
【請求項１】
収容物を収容可能に構成され前記収容物を出し入れ可能な開口部を有する本体と、
この本体に設けられたスリットと、
可撓性を有したシート状をなす素材からなるものであり前記本体に取り付けられた基端部、前記スリットに重なり合い得る位置に設けられた先端部及びこの先端部をスリットに重なり合わせたときに前記開口部を閉止する蓋本体を有する蓋体と、
この蓋体の前記先端部に設けられ前記基端部へ向けて延出し前記スリットに挿入され得るものであり前記スリットとともに前記蓋体の開蓋を禁止するロック機構を構成する挿入片と、
前記蓋体における前記挿入片近傍に設けられ前記スリットに挿入された前記挿入片を前記スリットから離間させるときに周囲の部分よりも優先して折り曲げられるように形成された折り曲げ誘導部と
を具備することを特徴とするロック機構付収容具。
【請求項２】
前記折り曲げ誘導部が、前記挿入片が挿入された状態にある前記スリットを前記基端部側から囲む位置に配されている請求項１記載のロック機構付収容具。
【請求項３】
前記折り曲げ誘導部が、概略部分円弧形状をなすものである請求項２記載のロック機構付収容具。
【請求項４】
前記挿入片が、前記蓋体を構成する素材に一体的に形成されている請求項１〜３の何れかに記載のロック機構付収容具。
【請求項５】
前記挿入片が、前記蓋体を構成する素材とは別体をなすものである請求項１〜３の何れかに記載のロック機構付収容具。
【請求項６】
前記折り曲げ誘導部が、前記蓋体に設けられた折り線である請求項１〜５の何れかに記載のロック機構付収容具。
【請求項７】
矩形状をなす紙葉類を収容可能なファイルである請求項１〜６の何れかに記載のロック機構付収容具。
【請求項８】
前記紙葉類の少なくとも一の隅部を外方から視認可能に構成された切欠部を有している請求項７記載のロック機構付収容具。
【請求項９】
前記本体が、載置面上に載置され得る底壁と、この底壁の縁部から立設される立壁とを有した箱状体である請求項１〜６の何れかに記載のロック機構付収容具。
【発明の詳細な説明】
【技術分野】
【０００１】
本発明は、収容物を収容、保管するための収容具、具体的には収容物を開口部から出し入れ可能な本体に対し蓋体で開口部を閉蓋するロック機構を有したロック機構付収容具に関するものである。
【背景技術】
【０００２】
従来、主に紙や合成樹脂シートといったシート状の素材により構成され、収容物を収容可能に構成され前記収容物を出し入れ可能な開口部を有する本体に対し、蓋体が前記開口部を閉止できるように設けた収容具が周知である。斯かる収容具に該当するものとしては、紙葉類を収容するためのファイルや、商品を収容するための商品収容箱等、種々のものが存在する。そしてそれら収容具の多くは、本体に設けられたスリットに対し蓋体に設けられた挿入片を挿入することによって蓋体を本体に対して容易に離間し難くしたロック機構が設けられている。このロック機構により、収容物が本体の外へ意図せずに出てしまうことが抑止されている。
【０００３】
このようなロック機構を設けた収容具の一つであるファイルの一例として、特許文献１に記載されたファイルを挙げることができる。当該特許文献１記載のファイルは、紙葉類を収容する本体の表面に設けられたスリットに対して蓋体に設けられた挿入片たる舌片を挿入することで蓋体を本体に対しロックするロック機構を有したファイルであるが、スリットに挿入する際に舌片を蓋体の先端側を折り返して設け、スリットに対し蓋体の先端側から基端側へ挿入しロックするようにしている。これにより、当該ファイルは従来のファイルよりも意図しないロック解除が起こり難くなっている。
【先行技術文献】
【特許文献】
【０００４】
【特許文献１】特開平８−６７０８６号公報（図１、図２等参照）
【発明の概要】
【発明が解決しようとする課題】
【０００５】
上述した特許文献１に記載のものは、確かにスリットと挿入片との係り合うロック状態が安定して保持され得る構造である一方、ロック解除すなわちスリットと挿入片との係り合いを解除する際には従来のファイルよりも蓋体における挿入片近傍の部位を大きく曲げるように変形させる操作を要するものとなっている。それ故に使用者によっては、ロック解除の作業を行い難いという認識を与えてしまう可能性を有していた。
【０００６】
また場合によってはロック解除の作業の際に蓋体に外力を加えすぎると、蓋体には使用前には形成されなかった意図せぬ折り曲げ線や不規則な変形部分が形成されてしまい、使用前とは外観が異なって使用者に見た目が損なわれたように感じさせる可能性も有していた。
【０００７】
そして上述した可能性はファイルのみに限定されるものではなく、特許文献１に記載されたロック機構を他の収容具に適用したとしても同様に生じ得る。
【０００８】
本発明は、上記のような課題を解消することを目的としており、蓋体が本体に対して係り合うロック状態を安定して維持しつつ、且つ容易にロックを解除することができるロック機構付収容具を提供する。
【課題を解決するための手段】
【０００９】
本発明は、かかる目的を達成するために、次のような手段を講じたものである。
【００１０】
すなわち、本発明に係るロック機構付収容具は、収容物を収容可能に構成され前記収容物を出し入れ可能な開口部を有する本体と、この本体に設けられたスリットと、可撓性を有したシート状をなす素材からなるものであり前記本体に取り付けられた基端部、前記スリットに重なり合い得る位置に設けられた先端部及びこの先端部をスリットに重なり合わせたときに前記開口部を閉止する蓋本体を有する蓋体と、この蓋体の前記先端部に設けられ前記基端部へ向けて延出し前記スリットに挿入され得るものであり前記スリットとともに前記蓋体の開蓋を禁止するロック機構を構成する挿入片と、前記蓋体における前記挿入片近傍に設けられ前記スリットに挿入された前記挿入片を前記スリットから離間させるときに周囲の部分よりも優先して折り曲げられるように形成された折り曲げ誘導部とを具備することを特徴とする。
【００１１】
ここで先端部とは、蓋体における開口部を閉止するに足る箇所か或いは当該箇所よりも基端部よりさらに離間した領域を指す。よって蓋体が開口部を閉止する部分よりも大きく延出するような形状であれば基端部に最も離れた蓋体の縁部よりも基端側に離間した部分に先端部を設定しても良いことは勿論である。
【００１２】
また基端部とは、蓋体において先端部から挿入片を隔てた反対側の部分を指し示すものである。よって基端部とは本体と蓋体との接続箇所とは限らず、蓋体の特定の一部分を指し示す場合もあることは勿論である。
【００１３】
このようなものであれば、挿入片とスリットとの係り合いが強くロック機構が有効に機能し得る状態であっても、当該係り合いを解除するときには折り曲げ誘導部の箇所が他の箇所よりも優先して折り曲げられるために少ない操作力にて容易に係り合いを解除することができる。すなわち本発明によれば、蓋体が本体に対して係り合うロック状態を安定して維持しつつ、且つ容易にロックを解除することができるロック機構付収容具を提供することができる。
【００１４】
挿入片とスリットとの係り合いの解除をよりスムーズにし得るようにするためには折り曲げ誘導部を、挿入片が挿入された状態にあるスリットを基端部側から囲む位置に配するようにすることが望ましい。斯かる構成により、蓋体の先端部に操作力を与えた際のスリット近傍の動作がより促されるからである。
【００１５】
折り曲げ誘導部による折り曲げが繰り返し行われても蓋体の変形を有効に抑制するためには、折り曲げ誘導部を、概略部分円弧形状をなすものとすることが望ましい。概略部分円弧状に折り曲げられた部分は直線状に折り曲げられた部分よりも周囲の折り曲げられていない部分からの反力を大きく受け蓋体の形状が戻り易くなるからである。
【００１６】
より簡素な構成とするためには、挿入片を、蓋体を構成する素材に一体的に形成することが望ましい。
【００１７】
また、挿入片の強度や形状を最適なものとし易いよう設計自由度をより向上したものとするためには、挿入片を、蓋体を構成する素材とは別体をなすものとすることが望ましい。
【００１８】
ここで折り曲げ誘導部とは周囲の素材よりも折り曲げやすく構成してある構造であれば種々の構造を適用できるが、より単純な構成で折り曲げ誘導部を設けるためには、折り曲げ誘導部を、蓋体に設けられた折り線とすることが好ましい。この折り線は、シート状素材へのプレス加工等により容易に製造することができる。また折り線以外による折り曲げ誘導部を構成し得る態様としては、ミシン目といった間欠的な開口や部分的なスリットを設けた構造、シート状の素材を薄肉に形成した構造等を挙げることができる。
【００１９】
上述した本発明に係る構造は、矩形状をなす紙葉類を収容可能なファイルに適用することが望ましい。
【００２０】
そして本発明を適用したファイルとして、紙葉類の少なくとも一の隅部を外方から視認可能に構成された切欠部を有したものとすれば、上述したような安定したロック状態並びにロック解除を実現し得ることに加え、ロックを解除せずとも紙葉類の必要な箇所を視認することができるためロック機構並びに折り曲げ誘導部の使用回数が有効に抑えられることによって、より耐久性が高いファイルを提供することができる。
【００２１】
また上述した本発明に係る構造は、本体が、載置面上に載置され得る底壁と、この底壁の縁部から立設される立壁とを有した箱状体である、所謂箱形の収容具にも好適に適用することができる。
【発明の効果】
【００２２】
本発明は、以上説明した構成であるから、蓋体が本体に対して係り合うロック状態を安定して維持しつつ、且つ容易にロックを解除することができるロック機構付収容具を提供することができる。
【図面の簡単な説明】
【００２３】
【図１】本発明の一実施形態に係る外観図。
【図２】同正面図。
【図３】同実施形態に係る他の正面図。
【図４】同実施形態に係る要部の外観図。
【図５】図２に係るＩ−Ｉ線部分断面図。
【図６】図５に係る作用説明図。
【図７】同上。
【図８】同実施形態の変形例に係る外観図。
【図９】同実施形態の他の変形例に係る説明図。
【図１０】同実施形態の他の変形例に係る外観図。
【発明を実施するための形態】
【００２４】
以下、本発明の一実施形態を、図面を参照して説明する。
【００２５】
本実施形態に係るロック機構付収容具の一例であるファイルＡは、図１〜図７に示すように、収容物としての矩形状をなす紙葉類Ｐを収容、保管するためのものである。このファイルＡは、収容物を出し入れ可能な開口部Ｈを有する本体１と、開口部Ｈを開閉する蓋体２とを主体とするものである。そしてこのファイルＡは、本体１側に設けられたスリット３と蓋体２側に設けられスリット３に挿入するための挿入片４とによってロック機構Ｒが構成されており、紙葉類Ｐの収容時には紙葉類Ｐが不意に外方にこぼれでることが無いように本体１に対し蓋体２を固定し得る。
【００２６】
またこのファイルＡは、図１に示すように、出荷状態すなわち入手当初は概略直方体形状をなし、紙葉類Ｐの略全域を覆い得るものとなっている。そしてファイルＡの隅部分には正面視概略三角形状となるコーナー部Ｃを切り離し得るよう、ミシン目Ｍが設けられている。本実施形態では当該ミシン目Ｍに沿ってコーナー部Ｃを切り離した状態を図２〜図７に示している。そしてコーナー部Ｃがミシン目Ｍに沿って切り取られることではじめて、矩形状をなす紙葉類Ｐの何れかの隅部Ｐ１が露出するよう切欠部６が形成される。このようにすることで、ロック機構Ｒにより蓋体２が固定された所謂ロック状態とされていても外方から隅部Ｐ１を視認可能となっている。これにより、紙葉類Ｐが例えば個人情報等が記載された文書であった場合でも、当該紙葉類Ｐのヘッダ或いはフッタ部分に相当する隅部Ｐ１に記載されているマイナンバー等の識別番号や記号をロック機構Ｒの操作によらずとも容易に確認することができる。
【００２７】
ここで、本実施形態に係るロック機構付収容具たるファイルＡは、開口部Ｈを有する本体１と、この本体１に設けられたスリット３と、可撓性を有したシート状をなす素材からなるものであり本体１に取り付けられた基端部２１、スリット３に重なり合い得る位置に設けられた先端部２３及びこの先端部２３をスリット３に重なり合わせたときに開口部Ｈを閉止する蓋本体２２を有する蓋体２と、この蓋体２の先端部２３に設けられ基端部２１へ向けて延出しスリット３に挿入され得るものでありスリット３とともに蓋体２の開蓋を禁止するロック機構Ｒを構成する挿入片４と、蓋体２における挿入片４近傍に設けられスリット３に挿入された挿入片４をスリット３から離間させるときに周囲の部分よりも優先して折り曲げられるように形成された折り曲げ誘導部５とを具備することを特徴としている。
【００２８】
以下、ファイルＡの各部の構成について具体的に説明する。このファイルＡは、例えば１枚の紙素材を適宜裁断、折り曲げし、一部を接着することにより形成されている。しかしファイルＡを形成する素材としては紙に限られることはなく、例えば可撓性を有するシート状の樹脂素材等、種々の素材を適用し得る。また勿論、このファイルＡは１枚のシート状の素材から形成されるものに限られず、複数のシートから形成されるものであっても、素材が異なる複数のシートから形成されるものであっても良い。
【００２９】
本体１は、図１〜図３に示すように、紙葉類Ｐを出し入れ可能な開口部Ｈを有するものであり、スリット３を設けた正面板１１と、正面板１１とともに紙葉類Ｐを表裏から挟み込む位置に配された背面板１２と、正面板１１から側方に連続し背面板１２にも連続する側面板１４と、正面板１１から下方に連続し背面板１２にも連続する底面板１５と、正面板１１から上方に連続し蓋体２にも連続する頂面板１３とを有している。本実施形態では正面板１１の大きさを背面板１２よりも小さくすることにより開口部Ｈを形成している。背面板１２における側面板１４との連続箇所の近傍には素材を凹ませて設けた凹部１６が形成されている。また側面板１４及び底面板１５には、これら側面板１４及び底面板１５を正面板１１と背面板１２との距離を調整するための所謂「マチ」として機能させるための折り線であるマチ形成線１７が設けられているが、本実施形態では図示の都合上、底面板１５に形成されたマチ形成線１７の図示を省略している。
【００３０】
蓋体２は、図１〜図４に示すように、本実施形態では本体１の頂面板１３から背面板１２とは反対側に素材を延出させて設けた平板状をなすものである。本実施形態ではこの蓋体２における頂面板１３との連続箇所を基端部２１としている。また蓋体２は当該基端部２１と、この基端部２１から延出し開口を閉止し得る蓋本体２２と、この蓋本体２２における基端部２１とは反対側に位置づけられた先端部２３とを有している。本実施形態では、この先端部２３から挿入片４を一体に折り曲げにより形成している。そして先端部２３は、当該挿入片４の一部を接着剤Ｇ（図５〜図７）により接着するための接着領域２４を有している。
【００３１】
また本実施形態では図１〜図３に示すように、これら本体１並びに蓋体２の一部を切り欠くすなわち凹ませた部分を設けることにより、収容物たる紙葉類Ｐの少なくとも一の隅部Ｐ１を外方から視認可能に構成された切欠部６を有している。
【００３２】
切欠部６は、具体的に説明すると、正面板１１、背面板１２及び頂面板１３の一部をそれぞれ切り欠くことにより形成されている。また本実施形態では、正面板１１及び背面板１２を傾斜方向に延びる傾斜縁部６１を形成することにより、正面視並びに背面視において収容物たる紙葉類Ｐの隅部Ｐ１が三角形状に露出するようにしている。
【００３３】
スリット３は、図１〜図４に示すように、前面板の開口部Ｈ近傍且つ側面板１４を配した横方向における中央に直線棒状に穿たれた開口としている。この本実施形態では、スリット３における開口部Ｈ側の縁部であり挿入片４側に係り合う係合縁３１と、スリット３の長手方向両端を円弧状に形成した側端３２とを有している。
【００３４】
挿入片４は、図１〜図４に示すように、蓋体２の先端部２３から素材を折り返し且つ一部を接着剤により接着することにより蓋体２を構成する素材に一体的に形成されたものである。この挿入片４は、蓋体２から折り返された折り返し部４１と、折り返し部４１から延び蓋体２の先端部２３に接着剤Ｇ（図５〜図７）により接着された接着部４２と、接着部４２から蓋体２の基端へ向けて延びスリット３に挿入され得る挿入部４３とを有している。この挿入部４３は、折り返し部４１側から漸次幅狭となるように形成されることによりスリット３への挿入を行い易いよう案内し得る案内縁４４と、案内縁４４に連続し両側面板１４に向けた方向の寸法である幅寸法を最も広く、具体的にはスリット３の両側端３２間の寸法と略同じとなるように膨出させて形成した膨出端４５と、この膨出端４５から接着部４２へ向けて幅寸法を漸次狭くなるよう形成することにより挿入部４３のスリット３からの抜脱が起こり難いように形成した戻り止め縁４６と、挿入部４３が最も多く挿入されるときにスリット３の両側端３２並びに当該両側端３２近傍の蓋本体２２の部分に当接する当接端４７とを有している。
【００３５】
そして本実施形態に係るファイルＡは、上述の通り、蓋体２における挿入片４近傍に設けられスリット３に挿入された挿入片４をスリット３から離間させるときに周囲の部分よりも優先して折り曲げられるように形成された折り曲げ誘導部５を具備することを特徴とする。
【００３６】
折り曲げ誘導部５は、図１〜図４に示すように、蓋体２における先端部２３近傍において部分円弧形状に折り線を形成するためのプレス加工が施されることにより形成されている。また折り曲げ誘導部５は、特に図２に示すように、挿入片４が挿入された状態にあるスリット３を基端部２１側から囲む位置に配するように位置づけている。具体的には折り曲げ誘導部５は本実施形態では、蓋体２の先端部２３において挿入片４の接着部４２に相当する箇所を覆うように概略半楕円形状に形成されたプレス加工による折り線である湾曲プレス部５１を有したものである。そして本実施形態では、この折り曲げ誘導部５が周囲の蓋本体２２の部分よりも優先的に変形することにより当該周囲の折り曲げ誘導部５近傍の部分が、不要な折り線が形成されてしまうことなく曲がり変形を起こす曲がり領域Ｘとなるようにしている。
【００３７】
そして、本実施形態に係るファイルＡのロック機構Ｒによる挿入片４とスリット３との係り合いが解除される際の挙動を部分拡大断面図である図５〜図７に示して説明する。
【００３８】
図５は、所謂ロック状態、すなわち挿入片４とスリット３とが係り合っている状態を示している。このとき、スリット３の係合縁３１は蓋体２の先端部２３における接着領域２４近傍の部分と挿入片４における接着部４２近傍の部分との間に挟持された状態となっている。また同図に示す状態において例えばファイルＡを上下逆に向け挿入部４３がスリット３から抜ける方向に動こうとしたとしても、挿入片４の戻り止め縁４６がスリット３の側端３２に当接するためにスリット３から抜脱してしまうことはない。
【００３９】
図６は、例えば使用者によって挿入片４とスリット３との係り合いを解除する操作が行われているときを示したものである。同図に示すように、蓋体２の先端部２３が図示上方に持ち上げられると蓋本体２２が撓むこととなるが、折り曲げ誘導部５の箇所が最も大きく変形することに起因して当該折り曲げ誘導部５の周辺が優先して変形する曲がり領域Ｘとなり不要な折り線が更に形成されることもなく変形し、挿入片４がスリット３から抜け易い状態が実現される。
【００４０】
図７は、図６に示す状態からさらに蓋体２の先端部２３が持ち上げられたときの挙動を示したものである。一端折り曲げ誘導部５の湾曲プレス部５１が大きく変形した後使用者による操作が解除されると、当該湾曲プレス部５１が湾曲形状を呈しているため、蓋本体２２における周辺部分すなわち曲がり領域Ｘによる変形を戻そうとする反発力である素材自体が有する弾性反発力が湾曲プレス部５１に強く働くこととなる。その結果、蓋体２には不要な折癖もつかず、湾曲プレス部５１の変形も維持されることなく蓋体２は使用前と同様の形状が維持されることとなる。
【００４１】
以上のように、本実施形態に係るロック機構付収容具たるファイルＡは、挿入片４をスリット３から離間させるときに周囲の部分よりも優先して折り曲げられるように形成された折り曲げ誘導部５とを具備することを特徴とする。このように構成しているので本実施形態に係るファイルＡは、挿入片４とスリット３との係り合いが強くロック機構Ｒが有効に機能し得る所謂安定したロック状態であっても、当該係り合いを解除するときには折り曲げ誘導部５の箇所が他の箇所よりも優先して折り曲げられるために少ない操作力にて容易に係り合いを解除できるものとなっている。すなわち本実施形態によれば、蓋体２が本体１に対して係り合う所謂ロック状態を安定して維持する点と容易に係り合いを解除することができる点とを有効に両立させたファイルＡを実現している。
【００４２】
挿入片４とスリット３との係り合いの解除をよりスムーズにし得るようにするために本実施形態では、折り曲げ誘導部５を、挿入片４が挿入された状態にあるスリット３を蓋体２の基端部２１側から囲む位置に配するようにしている。これにより、蓋体２の先端部２３に操作力を与えた際のスリット３近傍の動作がより促されることとなる。
【００４３】
折り曲げ誘導部５による折り曲げが繰り返し行われても蓋体２の変形を有効に抑制するために本実施形態では、折り曲げ誘導部５を、概略部分円弧形状をなすものとしている。すなわち、概略部分円弧状に折り曲げられた部分は直線状に折り曲げられた部分よりも周囲の折り曲げられていない部分からの反力を大きく受け蓋体２の形状が戻り易いからである。換言すれば、ロック機構Ｒが繰り返し利用されたとしても蓋体２の先端部２３が反り返り挿入片４がスリット３から抜脱し易くなるような蓋体２から立ち上がってしまうような変形が抑えられるため、ファイルＡの耐久性の向上にも寄与していることとなる。
【００４４】
また本実施形態では挿入片４を、蓋体２を構成する素材に一体的に形成しているので、より簡素な構成にて本実施形態に係るファイルＡを構成せしめている。
【００４５】
そして本実施形態では折り曲げ誘導部５を、蓋体２にプレス加工により設けられた折り線としているので、上述した製造工程においてマチ形成線１７や他の折り線を形成する工程と同時に折り曲げ誘導部５を容易に形成せしめている。併せて折り曲げ誘導部５を設けるための製造工程の増加を有効に回避している。
【００４６】
そして本実施形態では、矩形状をなす紙葉類Ｐを収容可能なファイルＡに折り曲げ誘導部５を設けることで汎用性の高いロック機構Ｒ付きのファイルＡを実現している。
【００４７】
特に本実施形態では、紙葉類Ｐの少なくとも一の隅部Ｐ１を外方から視認可能に構成された切欠部６を有したものとしている。その結果、安定したスリット３と挿入片４とが係り合うロック状態並びに当該係り合いの解除が実現されていることに加え例えば書類におけるヘッダ部分に記載されたマイナンバーのみを視認することができるといったように、紙葉類Ｐの必要な箇所のみを視認可能としてロック機構Ｒ並びに折り曲げ誘導部５の使用回数を有効に低減せしめ、より耐久性の高いファイルＡを実現している。
【００４８】
＜変形例＞
【００４９】
以下、本実施形態の各変形例について説明していく。以下の変形例について、上記実施形態における構成要素に相当するものについては同じ符号を付すとともに、その詳細な説明を省略する。
【００５０】
本変形例に係るファイルＡは、図８に示すように、切欠部６を矩形状としたものである。具体的に説明すると、本変形例に係る切欠部６は、具体的に説明すると、正面板１１、背面板１２及び頂面板１３の一部をそれぞれ切り欠くことにより形成されている点は上記実施形態同様である。しかし本変形例では、正面板１１の隅部Ｐ１分を屈曲した形状で凹ませた矩形縁部６２を形成することにより、正面視において収容物たる紙葉類Ｐの隅部Ｐ１が正面板１１側から矩形状に露出するようにしている。
【００５１】
このようなものであっても、上記実施形態に係る切欠部６同様の作用効果を奏し得る。
【００５２】
また図９に示す他の変形例に係るファイルＡは、挿入片４を蓋体２とは別異に設け、接着剤によって接着することにより設けたものである。すなわち、挿入片４のみを蓋体２や本体１とは異なる素材としたり、同素材であっても厚みが異なるように構成したりすることで、スリット３と挿入片４との係り合いをより高めたファイルＡを構成することができる。更には、スリット３と挿入片４との係り合いを解除し易いように蓋体２を構成する素材を選んだとしても、本変形例によればスリット３との係り合いが最も好適な素材により挿入片４を構成することができる。これにより本変形例によればロック機構Ｒによるスリット３と挿入片４との係り合いと当該係り合いの解除とをより有効に両立させることができる。
【００５３】
さらに上記実施形態並びに変形例ではロック機構付収容具の一例としてのファイルＡを開示したものであるが勿論、本発明に係るロック機構付収容具はファイルＡに限られない。
【００５４】
すなわち図１０に示すように、本変形例に係るロック機構付収容具の一例である収容箱Ｂは、本体１が、載置面上に載置され得る底壁１８と、この底壁１８の縁部から立設される立壁１９とを有した箱状体１０となっている。
【００５５】
また本変形例では、挿入片４は、部分円弧形状に蓋本体２２に穴を穿つことにより切り起こし孔４８を形成することにより、湾曲円弧形状の内側部分に切り起こしによって挿入部４３を形成した構成をなす。このような構成とすることにより、上記実施形態並びに各変形例のように挿入片４を蓋体２に接着する工程を削減することができる。
【００５６】
また本変形例では折り曲げ誘導部５が、概略Ｌ字状に屈曲した形状にプレス加工を施すことにより設けられた屈曲プレス部５２を有するものとしている。この屈曲プレス部５２は同図に示すように、挿入片４がスリット３に挿入されたときに当該スリットを基端部２１側から囲み得る位置に位置づけられている。
【００５７】
このようなものであっても屈曲プレス部５２近傍の領域は上記実施形態同様に曲がり領域Ｘとなる。すなわち上記実施形態同様の作用効果を奏する。
【００５８】
以上、本発明の一実施形態並びに各変形例について説明したが、各部の具体的な構成は、上述した実施形態のみに限定されるものではなく、本発明の趣旨を逸脱しない範囲で種々変形が可能である。例えば上記実施形態では記折り曲げ誘導部を専らプレス加工により形成した態様を開示したが勿論、蓋体の一部を優先的に曲がり易くし得る構成であれば他の構成を適用してもよい。その一例としては、折り曲げ誘導部を、蓋体の所要の箇所に間欠的に切り込みを入れることにより設けられたミシン目としてもよい。
【００５９】
例えば上記実施形態ではロック機構付収容具が単一の折り曲げ誘導部を有する態様のみを開示したが勿論、折り曲げ誘導部は一つのロック機構に対し離間した複数の箇所に設けられたものとしてもよい。
【００６０】
また、ロック機構及び切欠部の具体的な形状や素材といったその他の詳細な構成も、本発明の趣旨を逸脱しない範囲で種々変形が可能である。
【符号の説明】
【００６１】
１・・・本体
１０・・・箱状体
３・・・スリット
２・・・蓋体
２１・・・基端部
２２・・・蓋本体
２３・・・先端部
Ｒ・・・ロック機構
４・・・挿入片
５・・・折り曲げ誘導部
６・・・切欠部
Ａ・・・ロック機構付収容具（ファイル）
Ｂ・・・ロック機構付収容具（収容箱）
Ｈ・・・開口部
Ｐ・・・紙葉類
Ｐ１・・・隅部
Ｒ・・・ロック機構
【図１】
2017226424.tif 000003
【図２】
2017226424.tif 000004
【図３】
2017226424.tif 000005
【図４】
2017226424.tif 000006
【図５】
2017226424.tif 000007
【図６】
2017226424.tif 000008
【図７】
2017226424.tif 000009
【図８】
2017226424.tif 000010
【図９】
2017226424.tif 000011
【図１０】
2017226424.tif 000012